(57)【要約】【課題】装着する必要がなく簡単な構成で安価に作製でき、飛沫感染対策も十分に行うことが可能な飛沫防止マウスシールドを提供する。【解決手段】飛沫防止マウスシールド１は、シールド部３１と下面部３３とを備え、シールド部３１は、使用時に使用者の右手側となる第１のシールド面３１−１と、左手側となる第２のシールド面３１−２とを有し、下面部３３は、第１のシールド面３１−１から折り曲げられた第１の下面３３−１と第２のシールド面３１−２から折り曲げられた第２の下面３３−２とを有し、第１の下面３３−１および第２の下面３３−２のうちの一方には、第１の下面３３−１および第２の下面３３−２のうちの他方の側に向かって延び出した延出部３５が形成され、第１の下面３３−１および第２の下面３３−２のうちの他方には、延出部３５を引っかけるためのスリットＳ１、Ｓ２が形成されている。【選択図】図３
0003234401.tif 000002
【実用新案登録請求の範囲】
【請求項１】
使用者の口を覆うシールド部と、前記シールド部の下端部から折れ曲がるように形成された下面部とを備える飛沫防止マウスシールドであって、
前記シールド部は、使用時に使用者の右手側となる第１のシールド面と、左手側となる第２のシールド面とを有し、
前記下面部は、
前記第１のシールド面から折り曲げられた第１の下面と
前記第２のシールド面から折り曲げられた第２の下面と
を有し、
前記第１の下面および前記第２の下面のうちの一方には、前記第１の下面および前記第２の下面のうちの他方の側に向かって延び出した延出部が形成され、
前記第１の下面および前記第２の下面の他方には、前記延出部を引っかけるためのスリットが少なくとも１つ形成されている、
飛沫防止マウスシールド。
【請求項２】
前記スリットとして、第１のスリットと第２のスリットとが形成されており、
前記延出部の先端部は、前記第１のスリットに対して前記下面部の上側から下側に向けて差し込まれるとともに、前記第２のスリットを通じて前記下面部の下側から上側に引き出されるように設けられている、
請求項１に記載の飛沫防止マウスシールド。
【請求項３】
前記第１のスリットの幅および前記第２のスリットの幅が１ｍｍ以上である、請求項２に記載の飛沫防止マウスシールド。
【請求項４】
前記シールド部の両端には、使用者が手で摘まむための突出部が形成されている、請求項１から３のいずれか一項に記載の飛沫防止マウスシールド。
【請求項５】
使用者の口を覆うためのシールド部と、前記シールド部の下端部から折れ曲がるように形成された下面部とを備える飛沫防止マウスシールドを作成するためのシート状の部材であって、
前記シールド部のうち使用時に使用者の右手側に位置する第１のシールド面となる第１の部分と、
前記シールド部のうち使用時に使用者の左手側に位置する第２のシールド面となる第２の部分と、
前記第１のシールド面から折り曲げられ第１の下面となる第３の部分と、
前記第２のシールド面から折り曲げられ第２の下面となる第４の部分と、
を含み、
前記第３の部分と前記第４の部分とは切込み部により切り分けられ、
前記第３の部分および前記第４の部分の一方には、前記第３の部分および前記第４の部分の他方の側に向かって延び出した延出部が形成され、
前記第３の部分および前記第４の部分の他方には、前記延出部を引っかけるためのスリットが少なくとも１つ形成されている、
飛沫防止マウスシールド用部材。
【請求項６】
前記切込み部は逆Ｖ字形状である、請求項５に記載の飛沫防止マウスシールド用部材。
【請求項７】
前記第１の部分と前記第２の部分との境界線、前記第１の部分と前記第３の部分との境界線、および、前記第２の部分と前記第４の部分との境界線は、それぞれの境界線に沿って筋入れ加工されている、請求項５または６に記載の飛沫防止マウスシールド用部材。
【考案の詳細な説明】
【技術分野】
【０００１】
本考案は、飛沫の拡散を防止する飛沫防止マウスシールドおよび飛沫防止マウスシールド用部材に関する。
【背景技術】
【０００２】
新型コロナウィルスの感染拡大防止等のために、近年、マスクの着用や手洗いの励行、ソーシャルディスタンスの確保が重要視されるとともに、使用者の顔を覆うフェースシールドやマウスシールド等も広く利用されるようになってきている。
【０００３】
飲食時におけるコロナウィルス感染防止策として、テーブルにパーティションを設置する、客どうしのスペースを十分に確保する、食事中の会話はできるだけ控えるといった対策が推奨されている。さらに、より効果的な措置として、飲食以外のときはマスクをつけて会話をすること等も推奨されている。
【０００４】
特許文献１には、一枚のシートから作られ、顔に装着したままの状態でも飲食が可能なマウスシールドが開示されている。
【先行技術文献】
【特許文献】
【０００５】
【特許文献１】実登３２２８３０４
【考案の概要】
【考案が解決しようとする課題】
【０００６】
特許文献１のマウスシールドは顔に装着する必要があり、食事中終始マウスシールドを着用することに抵抗感を感じる使用者も居るものと想定される。感染防止の観点からは、飲食店で使用されるマウスシールドは使い捨てであることが望ましく、また、安価かつ簡単に作製できるものであることが好ましい。
【０００７】
そこで本考案の目的は、使用者に装着する必要がなく簡単な構成で安価に作製でき、飛沫感染対策も十分に行うことが可能な飛沫防止マウスシールドおよび飛沫防止マウスシールド用部材を提供することにある。
【課題を解決するための手段】
【０００８】
本考案の飛沫防止マウスシールドは、使用者の口を覆うシールド部と、前記シールド部の下端部から折れ曲がるように形成された下面部とを備える飛沫防止マウスシールドであって、
前記シールド部は、使用時に使用者の右手側となる第１のシールド面と、左手側となる第２のシールド面とを有し、
前記下面部は、前記第１のシールド面から折り曲げられた第１の下面と前記第２のシールド面から折り曲げられた第２の下面とを有し、
前記第１の下面および前記第２の下面のうちの一方には、前記第１の下面および前記第２の下面のうちの他方の側に向かって延び出した延出部が形成され、
前記第１の下面および前記第２の下面の他方には、前記延出部を引っかけるためのスリットが少なくとも１つ形成されている。
【０００９】
前記スリットとして、第１のスリットと第２のスリットとが形成されており、
前記延出部の先端部は、前記第１のスリットに対して前記下面部の上側から下側に向けて差し込まれるとともに、前記第２のスリットを通じて前記下面部の下側から上側に引き出されるように設けられていてもよい。
【００１０】
前記第１のスリットの幅および前記第２のスリットの幅が１ｍｍ以上であってもよい。
【００１１】
前記シールド部の両端には、使用者が手で摘まむための突出部が形成されていてもよい。
【００１２】
本考案の飛沫防止マウスシールド用部材は、使用者の口を覆うためのシールド部と、前記シールド部の下端部から折れ曲がるように形成された下面部とを備える飛沫防止マウスシールドを作成するためのシート状の部材であって、
前記シールド部のうち使用時に使用者の右手側に位置する第１のシールド面となる第１の部分と、
前記シールド部のうち使用時に使用者の左手側に位置する第２のシールド面となる第２の部分と、
前記第１のシールド面から折り曲げられ第１の下面となる第３の部分と、
前記第２のシールド面から折り曲げられ第２の下面となる第４の部分と、を含み、
前記第３の部分と前記第４の部分とは切込み部により切り分けられ、
前記第３の部分および前記第４の部分の一方には、前記第３の部分および前記第４の部分の他方の側に向かって延び出した延出部が形成され、
前記第３の部分および前記第４の部分の他方には、前記延出部を引っかけるためのスリットが少なくとも１つ形成されている。
【００１３】
前記切込み部は逆Ｖ字形状であってもよい。
【００１４】
前記第１の部分と前記第２の部分との境界線、前記第１の部分と前記第３の部分との境界線、および、前記第２の部分と前記第４の部分との境界線は、それぞれの境界線に沿って筋入れ加工されていてもよい。
【考案の効果】
【００１５】
本考案によれば、使用者に装着する必要がなく簡単な構成で安価に作製でき、飛沫感染対策も十分に行うことが可能な飛沫防止マウスシールド等を提供できるという効果を奏する。
【図面の簡単な説明】
【００１６】
【図１】飛沫防止マウスシールドを使用者が手で持ち、口元を覆う様子を示す図である。
【図２】飛沫防止マウスシールドを作製するための飛沫防止マウスシールド用部材の平面図である。
【図３】図２の飛沫防止マウスシールド用部材を組み立てた状態を飛沫防止マウスシールドの内側から見た図である。
【考案を実施するための形態】
【００１７】
以下、本考案の一形態について図面を参照しながら説明する。なお、以下で説明する具体的な形態や方法はあくまで本考案の一形態に係るものであり、本考案はこれに必ずしも限定されない。飛沫防止マウスシールドの使用時の姿勢を基準として、「上」、「下」、「左」、「右」といった方向に関する用語を用いるが、これらは本考案を何ら限定するものではない。図１は飛沫防止マウスシールドを使用者が手で持ち、口元を覆う様子を示す図である。図２は、飛沫防止マウスシールドを作製するための飛沫防止マウスシールド用部材の平面図である。図３は、図２の飛沫防止マウスシールド用部材を組み立てた状態を飛沫防止マウスシールドの内側から見た図である。
【００１８】
（飛沫防止マウスシールド）
飛沫防止マウスシールド１は、シールド部３１と、下面部３３とを備える。飛沫防止マウスシールド１は、後述するように一枚のシート状（例えば紙）の部材を折り曲げて作製することができる。
【００１９】
シールド部３１は、使用時に使用者の右手側となる第１のシールド面３１−１と、左手側となる第２のシールド面３１−２とを有する。第１のシールド面３１−１および第２のシールド面３１−２は、いずれも、図３の上下方向に延在する面である。第１のシールド面３１−１と第２のシールド面３１−２は、境界線４１（図２参照）を挟んで左右対称に形成されている。
【００２０】
シールド部３１は、一枚の紙を境界線４１のところで折り曲げて形成したものであり（詳細後述）、第１のシールド面３１−１と第２のシールド面３１−２とは所定の角度で交差している。第１のシールド面３１−１と第２のシールド面３１−２とが交差する角度は、図３の組み立て状態で飛沫防止マウスシールド１を上面側から見て、例えば９０°以上１２０°以内の範囲内であることが好ましい。この角度が９０°未満の場合、シールド部３１の全体的な形状が使用者の顔に沿わない形状となるため、飛沫防止マウスシールド１が使いにくいものとなり、この角度が１２０°を超える場合、飛沫防止マウスシールド１をテーブルに置いた際に比較的倒れやすくなるためである。
【００２１】
シールド部３１の左右両端には、使用者が手で摘まむための突出部Ｐ（摘まみ部）が形成されている。突出部Ｐはシールド部３１の片側のみに形成されていてもよい。突出部Ｐがシールド部３１の両端に形成されている場合、使用者は右手でも左手でも飛沫防止マウスシールドを持つことができ、使い易さが向上する。
【００２２】
下面部３３は、図３に示すように、第１のシールド面３１−１の下端から折り曲げられた第１の下面３３−１と、第２のシールド面３１−２の下端から折り曲げられた第２の下面３３−２とを有している。第１の下面３３−１は、境界線４２−１のところで第１のシールド面３１−１から直角に折り曲げられ、第１の下面３３−１は、境界線４２−２のところで第２のシールド面３１−２から直角に折り曲げられている。折曲げの角度は直角でなくてもよいが、直角の場合、飛沫防止マウスシールド１を自立させたときに飛沫防止マウスシールド１が倒れにくくなる。
【００２３】
第１の下面３３−１と第２の下面３３−２には、第１の下面３３−１と第２の下面３３−２とを互いに連結して飛沫防止マウスシールド１の全体の形状を立体的に保つための係止手段が設けられている。係止手段は、延出部３５およびスリットＳ１、Ｓ２である。延出部３５は、第１の下面３３−１に形成され、第２の下面３３−２の側に向かって延び出している。スリットＳ１およびスリットＳ２は、延出部３５を引っかけるための構造部であり、第２の下面３３−２に形成されている。本実施形態では、延出部３５の先端部は、スリットＳ１に対し一例で上側から下側に向けて差し込まれ、第２のスリットＳ２を通じて下側から上側に引き出されている。スリットＳ２から飛び出した延出部３５の先端側を、手前側（スリットＳ１の側）に折り返すことで、延出部３５が抜けない状態となり、第１の下面３３−１と第２の下面３３−２とが連結される。第１の下面３３−１と第２の下面３３−２とが連結されることで、飛沫防止マウスシールド１の全体の形状が立体的に保たれる。スリットＳ１およびスリットＳ２の幅は１ｍｍ以上であることが、延出部３５の挿入のし易さの観点から好ましい。
【００２４】
（飛沫防止マウスシールド用部材）
飛沫防止マウスシールド１は、図２に示すような１枚のシート状の部材から作製される。材質としては、プラスチックシートや紙を利用できるが、コストや使用後の処分の観点から紙であることが好ましく、特には、十分な強度をもった厚紙であることが好ましい。
【００２５】
飛沫防止マウスシールド用部材は、第１のシールド面３１−１となる第１の部分Ａ１と、第２のシールド面３１−２となる第２の部分Ａ２と、第１の下面３３−１となる第３の部分Ａ３と、第２の下面３３−２となる第４の部分Ａ４とを含んでいる。第１の部分Ａ１と第２の部分Ａ２との境界線４１、第１の部分Ａ１と第３の部分Ａ３との境界線４２−１、および、第２の部分Ａ２と第４の部分Ａ４との境界線４２−２はそれぞれ直線状であり、組み立て時に折り曲げやすいように筋入れ加工されている。
【００２６】
第３の部分Ａ３と第４の部分Ａ４との間には、逆Ｖ字形状（三角形型）の切込み部４５が形成され、第３の部分Ａ３と第４の部分Ａ４とが切り分けられている。第３の部分Ａ３に形成された傾斜辺４５ａは中心線ＣＬに対して４０°〜４５°の角度で傾斜しており、第４の部分Ａ４に形成された傾斜辺４５ｂも中心線ＣＬに対して４０°〜４５°の角度で傾斜している。傾斜辺４５ａと傾斜辺４５ｂは、図３のように組み立てた際に、互いに当接する辺である。傾斜辺４５ｂには、飛沫防止マウスシールド１を組み立てた際に、第３の部分Ａ３の一部に重なる張出し部４５ｃが形成されている。
【００２７】
スリットＳ１は、傾斜辺４５ｂに沿うようにして斜めに形成され、スリットＳ２は境界線４２−２とほぼ平行に形成されている。延出部３５は、傾斜辺４５ａの下端部付近（図２参照）からスリットＳ１およびスリットＳ２の方に向かって延び出している。延出部３５は、先端部をスリットＳ１およびスリットＳ２に挿入できるように十分な長さを有している。この例では、延出部３５は中心線ＣＬを超える程度の長さに形成されている。
【００２８】
上記のような飛沫防止マウスシールド用部材は次のようにして組み立て可能である。まず、使用者は、例えばテーブルに置かれた飛沫防止マウスシールド用部材を１枚取り、境界線４１、境界線４２−１および境界線４２−２（図２参照）に沿って各部を谷折りに折り曲げる。
【００２９】
境界線４１に沿って第１の部分Ａ１と第２の部分Ａ２とを折り曲げることで、第１の部分Ａ１から折り曲げられた第３の部分Ａ３と、第２の部分Ａ２から折り曲げられた第４の部分とが互いに近づく。この状態で、使用者は、延出部３５を先ずはスリットＳ１に通し、その後、スリットＳ２から引き出す。スリットＳ２から引き出された延出部３５の先端側を、スリットＳ２に引っかけるように折り曲げることで、全体が立体的に組み立てられ、飛沫防止マウスシールド１が完成する。
【００３０】
以上に説明したような本考案の飛沫防止マウスシールド１は、飛沫防止のための器具として種々の状況で使用することができる。例えば、飲食店においては、組み立て前の飛沫防止マウスシールド部材をテーブルに配置しておき、客に利用を促すようにしてもよい。テーブルに複数人の客が居る場合、誰の飛沫防止マウスシールドか分からなくなるのを防ぐために、それぞれの飛沫防止マウスシールド１を異なる色としてもよい。
【００３１】
本考案の飛沫防止マウスシールド１は、使用前には１枚のシート状の部材の状態で収納しておくことができるのでコンパクトに保管することができる。飛沫防止マウスシールド１は顔に装着する必要がないので使用者が抵抗なく使うことができ、会話以外のとき（例えば飲食をする際）にはテーブルの上に立てた状態で置いておくことができる。使用者は、摘まみ部を摘まんで飛沫防止マウスシールドを持つことができ、飛沫が付着しやすいシールド部３１の中央付近に触れずに済むので、衛生的である。
【００３２】
また、紙製の使い捨ての飛沫防止マウスシールド１とすることで、再利用のための消毒処理等も不要となる。使い終わった飛沫防止マウスシールド１は、折り曲げていた延出部３５をスリットＳ１、Ｓ２から抜くだけで、組み立て前の平たい形状に戻すこともできるため、使い終わった飛沫防止マウスシールド１が嵩張ることもない。
【００３３】
飛沫防止マウスシールド１は、無地であってもよいが、広告やイラストといった表示を付してもよい。例えば、アルコール飲料メーカの広告を表示するものであってもよい。
【００３４】
以上、本考案の一形態について説明したが、本考案は上述した具体的な形状・構造のものに限定されるものではなく、本考案の趣旨を逸脱しない範囲で適宜変更可能である。
【符号の説明】
【００３５】
１  飛沫防止マウスシールド
３１  シールド部
３１−１  第１のシールド面
３１−２  第２のシールド面
３３  下面部
３３−１  第１の下面
３３−２  第２の下面
３５  延出部
４１  境界線
４２−１  境界線
４２−２  境界線
４５  切込み部
４５ａ  傾斜辺
４５ｂ  傾斜辺
４５ｃ  張出し部
Ａ１  第１の部分
Ａ２  第２の部分
Ａ３  第３の部分
Ａ４  第４の部分
ＣＬ  中心線
Ｐ  突出部
【図１】
0003234401.tif 000003
【図２】
0003234401.tif 000004
【図３】
0003234401.tif 000005